【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
スキンケア処置計画の遵守を管理するためのネットワーク接続デバイスであって、前記ネットワーク接続デバイスが、
頂部と、スキンケア製品を収容する容器の首部に固定的に取付け可能な側壁とを有するキャップと、
電子ディスプレイと、
電源と、
プロセッサと、
個人が前記スキンケア処置計画を遵守して前記スキンケア製品を適用したかどうかを監視するための複数の命令を含んでいるメモリと、
前記スキンケア製品の前記容器からの分配に関する分配センサデータを生成するように構成された分配センサと
を備えている、ネットワーク接続デバイス。
【請求項２】
周囲条件に関する環境センサデータを生成するように構成された環境センサ、個人に関するパーソナルセンサデータを生成するように構成されたパーソナルセンサ又はその両方をさらに備えている、請求項１に記載のネットワーク接続デバイス。
【請求項３】
前記センサは、前記個人によって発せられた応答を記録するように構成された音声センサである、請求項２に記載のネットワーク接続デバイス。
【請求項４】
前記プロセッサによって前記複数の命令を実行することは、前記ネットワーク接続デバイスに、
前記スキンケア処置計画を前記個人に対してパーソナライズできるようにする１つ以上の特徴を検出するために、前記環境センサデータ、前記パーソナルセンサデータ又はその両方を解析すること、
前記スキンケア製品を適用するためのパラメータを更新することによって前記スキンケア処置計画をパーソナライズすること、及び、
前記個人が見直すために更新された前記パラメータを前記電子ディスプレイに掲示すること
を行わせる、請求項２に記載のネットワーク接続デバイス。
【請求項５】
リモートコンピューティングデバイスとネットワーク越しに通信するように構成された無線通信モジュールをさらに備えている、請求項1又は２に記載のネットワーク接続デバイス。
【請求項６】
前記プロセッサによって前記複数の命令を実行することは、前記ネットワーク接続デバイスに、
前記キャップとの対話を検出するために、前記分配センサデータを解析すること、
前記対話の検出に反応して、前記対話の指示を前記リモートコンピューティングデバイスへと送信すること、及び、
前記リモートコンピューティングデバイスに対して、前記個人が前記スキンケア処置計画を遵守していることを示す通知を別の個人へと送信するように促すこと
を行わせる、請求項５に記載のネットワーク接続デバイス。
【請求項７】
前記プロセッサによって前記複数の命令を実行することは、前記ネットワーク接続デバイスに、
前記無線通信モジュールとネットワークアクセス可能な情報ソースとの間の通信チャンネルを始動すること、
前記ネットワークアクセス可能な情報ソースに対して、前記スキンケア製品、前記スキンケア処置計画又はその両方に関連する情報についての要求を提出すること、及び、
前記個人が見直すために前記関連する情報を前記電子ディスプレイに提示すること
を行わせる、請求項５に記載のネットワーク接続デバイス。
【請求項８】
前記ディスプレイが、前記スキンケア処置計画、前記スキンケア製品の特性、ユーザ情報、気象条件、紫外線レベル、汚染レベル、全地球測位システム（ＧＰＳ）座標又はそれらのいくつかの組合せに関する詳細を含んでいる関連する情報を提示するように適合されている、請求項１に記載のネットワーク接続デバイス。
【請求項９】
前記分配センサが、
前記キャップに固定的に取付けられ、前記キャップの動きを検出するように構成された動きセンサと、
前記容器の首部の開口に向けられ、前記キャップが前記容器の首部に固定的に取付けられているかどうかを検出するように構成された光学センサと、
蓋がスマート容器４００の本体に取付けられている際に圧力が及ぼされる圧力センサ
前記キャップが前記容器の前記首部に取付けられている際に圧力が及ぼされ、前記キャップが前記容器の前記首部に固定的に取付けられているかどうかを検出するように構成された圧力センサと
のうち1つ以上を含んでいる、請求項１に記載のネットワーク接続デバイス。
【請求項１０】
前記環境センサは、
周囲光レベルを監視するように構成された光センサと、
周囲温度を監視するように構成された温度計と、
周囲湿度レベルを監視するように構成された湿度センサと、
紫外線を監視するように構成された紫外線センサと、
汚染をを監視するように構成された汚染センサと
のうち1つ以上を含んでいる、請求項１に記載のネットワーク接続デバイス。
【請求項１１】
前記個人に対して情報を視覚的に伝達する１つ以上の発光ダイオードをさらに備えている、請求項１に記載のネットワーク接続デバイス。
【請求項１２】
前記個人に対して情報を可聴的に伝達するスピーカをさらに備えている、請求項１に記載のネットワーク接続デバイス。
【請求項１３】
ネットワーク接続瓶とネットワークアクセス可能な情報ソースとの間の通信チャンネルを確立するステップであって、前記ネットワーク接続瓶は、個人によりスキンケア処置計画の一部として適用されることとなるスキンケア製品を収容している、ステップと、
前記ネットワークアクセス可能な情報ソースに対して、前記スキンケア製品、前記スキンケア処置計画又はその両方に関連する情報についての要求を提出するステップと、
前記個人が見直すために前記関連する情報を前記ネットワーク接続瓶の電子ディスプレイに提示するステップと
前記スキンケア製品の前記容器からの分配に関する分配センサデータを生成するように構成された分配センサにより、分配センサデータを生成するステップと、
前記分配センサデータから、個人が前記スキンケア処置計画を遵守して前記スキンケア製品を適用したかどうかを判定するステップと
を含んでいる、コンピュータ実装された方法。
【請求項１４】
前記ネットワーク接続瓶に接続されたセンサによって、周囲環境を特徴付ける環境センサデータ、個人に関するパーソナルセンサデータ又はその両方を記録するステップと、
前記スキンケア処置計画を前記個人に対してパーソナライズできるようにする１つ以上の特徴を検出するために、前記環境センサデータ、前記パーソナルセンサデータ又はその両方を解析するステップと、
前記スキンケア製品を適用するためのパラメータを更新することによって前記スキンケア処置計画をパーソナライズするステップと、
前記個人が見直すために更新された前記パラメータを前記ネットワーク接続瓶の電子ディスプレイに掲示するステップと
をさらに含んでいる、請求項１３に記載のコンピュータ実装された方法。
【請求項１５】
前記ネットワーク接続瓶との対話を監視するステップと、
前記分配センサデータが前記ネットワーク接続瓶とのユーザ対話を示すことを判定するステップと、
前記ユーザ対話の指示をリモートコンピューティングデバイスへとネットワーク越しに送信するステップと、
前記リモートコンピューティングデバイスに対して、前記個人が前記スキンケア処置計画を遵守しているかどうかを判定して、遵守ステータスを特定する通知を別のコンピューティングデバイスへと送信するように促すステップと
をさらに含んでいる、請求項１３に記載のコンピュータ実装された方法。
【手続補正２】
【補正対象書類名】明細書
【補正対象項目名】０００８
【補正方法】変更
【補正の内容】
【０００８】
【図１】図１は、電子ディスプレイを含むネットワーク接続（すなわち、「スマート」）キャップの正面図及び上面図を含んでいる。
【図２】図２は、少なくとも１つのオーディオセンサと少なくとも１つのオーディオスピーカとを含むスマートキャップの斜視図である。
【図３】図３は、スマート容器内に含まれ得る電子ディスプレイを示す。
【図４】図４は、いくつかの実施形態に従うスマート容器の部分断面図を含んでいる。
【図５】図５は、スマート容器がどのようにしてスキンケア製品に関するより大きなエコシステムの一部となり得るかを示す一般化されたフロー図である。
【図６】図６は、ユーザが処置計画に従ってスキンケア製品を適用しているかどうかを監視するためのシステムのコンポーネントについての高レベルシステム図を含んでいる。
【図７】図７は、データがどのようにして、１つ以上のソースからスマート容器へと、直接的に又は該スマート容器と対になった（すなわち、スマート容器と通信可能に結合された）コンピューティングデバイス（例えば、携帯電話、タブレットコンピュータ又はラップトップコンピュータ）を介して流れることができるかを示す一般化されたフロー図である。
【図８】図８は、スキンケア製品がユーザにより処置計画を遵守して適用されているかどうかを監視するためのスマートホームシステムにおけるネットワーク接続されたコンポーネントについての高レベルシステム図を含んでいる。
【図９】図９は、ネットワーク接続（すなわち「スマート」）容器内に収容されたスキンケア製品を適用するユーザの遵守を監視するためのプロセスを示す。
【図１０】図１０は、本明細書に記載の少なくともいくつかの動作が実施され得る処理システムの一例を示すブロック図である。
【手続補正３】
【補正対象書類名】明細書
【補正対象項目名】００３３
【補正方法】変更
【補正の内容】
【００３３】
スマートキャップ２００の種々の実施形態では、リアルタイムで修正可能なパーソナライズされたスキンケア推奨事項を提示することが可能になる。例えば、スマートキャップ２００は、ローカル環境の現在又は予想される汚染、湿度又はＵＶレベルに基づいて、特定のスキンケア製品を推奨してもよい。これにより、スマートキャップ２００は、ユーザがどのスキンケア製品がこれらの状況下で最も適切であるかに関する知識へと即時にアクセスすることを提供し得る。
【手続補正４】
【補正対象書類名】図面
【補正対象項目名】図８
【補正方法】変更
【補正の内容】
【図８】
2019518483.tif 000001
【手続補正５】
【補正対象書類名】図面
【補正対象項目名】図９
【補正方法】変更
【補正の内容】
【図９】
2019518483.tif 000002
【手続補正６】
【補正対象書類名】図面
【補正対象項目名】図１０
【補正方法】追加
【補正の内容】
【図１０】
2019518483.tif 000003